(57)【要約】【課題】  装置固有のアドレスを用いた特定の起動要求通知でしか復帰しない節電状態に移行した印刷装置を起こすための前記アドレスを失った際の印刷要求の処理方法。【解決手段】  ホストＰＣが印刷要求やステータス要求を送出後、印刷装置が応じない場合、ホストＰＣは前記印刷装置の存在するネットワークに向けて、ブロードキャストアドレスを用いた前記特定の起動要求通知を送出する。前記印刷装置はこれを受け取り、起動する。ただし、通常の代理装置から送られる、印刷装置固有のアドレスを用いた前記起動要求通知による起動と異なり、前述のブロードキャストアドレスを用いた起動要求通知による起動の場合は、代理装置を必要とする節電状態に移行しないようにすることで、同じ問題を繰り返さないようにできる。【選択図】  図１
2006236230.tif 000002
【特許請求の範囲】
【請求項１】
ネットワークに接続する手段と、印刷装置に対して印刷／ステータス要求を発信する手段を有する装置と、
ネットワークに接続する手段および
印刷／ステータス要求応答可能で印刷処理可能な高消費電力状態と、
印刷／ステータス要求応答可能で印刷処理不可能な中消費電力状態と、
印刷／ステータス要求応答不可能で印刷処理不可能な低消費電力状態とを
有する印刷装置であって、条件に合致した際に高消費電力状態から低消費電力状態に移行する手段と、
前記条件とは別の条件に合致した際に高消費電力状態から中消費電力状態に移行する手段と、
さらに前記条件とは別の条件に合致した際に低消費電力状態または中消費電力状態から高消費電力状態に移行する手段とを有する印刷装置と、
前記印刷装置に代わって印刷／ステータス要求を受け付ける手段と、印刷／ステータス要求元への応答手段を有し、同時に前記印刷装置を低消費電力状態から高消費電力状態へ移行させる手段およびネットワークに接続する手段を有する代理装置
を用いた印刷方法において、前記印刷装置が前記低消費電力状態である時に前記代理装置がネットワークへ接続する手段を失った際の前記印刷／ステータス要求を発信する手段を有する装置からの印刷／ステータス要求処理方法。
【請求項２】
請求項１記載の高消費電力状態から低消費電力状態に移行する条件が一定時間、印刷／ステータス要求が無かった場合であることを特徴とする請求項１記載の印刷装置およびその方法。
【請求項３】
請求項１記載の高消費電力状態から中消費電力状態に移行する条件が一定時間、印刷／ステータス要求が無かった場合であることを特徴とする請求項１記載の印刷装置およびその方法。
【請求項４】
請求項１記載の低消費電力状態から高消費電力状態に移行する条件が印刷装置固有のアドレスを用いた起動要求通知を受信することであること特徴とする請求項１記載の印刷装置およびその方法。
【請求項５】
請求項１記載の低消費電力状態から高消費電力状態に移行する条件が
印刷装置の属するネットワークへのブロードキャストアドレスを用いた起動要求通知であること特徴とする請求項１記載の印刷装置およびその方法。
【請求項６】
請求項１記載の中消費電力状態から高消費電力状態に移行する条件が
印刷／ステータス要求を請求項１記載の印刷装置が受信したことであること特徴とする請求項１記載の印刷装置およびその方法。
【請求項７】
請求項４記載の印刷装置固有のアドレスを用いた起動要求通知による起動と
請求項５記載のブロードキャストアドレスを用いた起動要求通知による起動とを区別する手段を有し、
前記印刷装置固有のアドレスを用いた起動要求通知による起動の場合は前記代理装置からの起動要求であると判断し、
ブロードキャストアドレスを用いた起動要求通知による起動の場合は前期代理装置が印刷／ステータス要求を受け付ける手段を失ったと判断する手段を有する請求項１記載の印刷装置およびその方法。
【請求項８】
請求項７記載の方法によって前記代理装置からの起動要求であると判断した場合、印刷／ステータス要求を処理後、請求項２記載の条件のもとで前記高消費電力状態から前記低消費電力状態に移行する手段を有する請求項１記載の印刷装置およびその方法。
【請求項９】
請求項７記載の判断手段によって前期代理装置が印刷・ステータス要求を受け付ける手段を失ったと判断した場合、印刷／ステータス要求を処理後、請求項３記載の条件のもとで前記高消費電力状態から前記中消費電力状態へ移行することを特徴とする請求項１記載の印刷装置およびその方法。
【請求項１０】
請求項４および請求項５記載の起動要求通知がマジックパケットである請求項１記載の方法。
【請求項１１】
請求項５記載の請求項１記載の印刷装置の属するネットワークへのブロードキャストアドレスを用いた請求項３記載の起動要求通知を発信するのが、請求項１記載の印刷／ステータス要求を発信する手段を有する装置であることを特徴とする請求項１記載の方法。
【発明の詳細な説明】
【技術分野】
【０００１】
本発明は、印刷装置、印刷制御方法、マジックパケットに関する。
【背景技術】
【０００２】
従来、特定の起動要求通知でしか復帰しない節電状態に移行した印刷装置に代わって代理装置が印刷要求を受け付け、同時に節電中の印刷装置を起こすために前記特定の起動要求通知を送出するといったシステムがあった。
又、従来例としては、例えば特許文献１と特許文献２をあげることが出来る。
【特許文献１】特開平１１−１８４８４９号公報
【特許文献２】特開２０００−２０９２２０号公報
【発明の開示】
【発明が解決しようとする課題】
【０００３】
前記特定の起動要求通知は、米国のＡＭＤ社が提案したマジックパケット技術を用いて実現することができる。マジックパケット技術とは、ネットワークを介して遠隔操作でネットワーク機器（コンピュータ、プリンタ等）の電源をオン・オフする技術であり、マジックパケットと呼ぶネットワーク機器のアドレスを用いた起動命令用の特殊なパケットを用いて起動要求を行う。
【０００４】
しかしながら、前記システムにおいて、前記代理装置の故障等により前記代理装置へのアクセスが不可能になった場合、前記印刷装置のアドレスを記憶しているものが居なくなり、前記印刷装置を節電状態から復帰させることができなくなるという問題が存在した。
【課題を解決するための手段】
【０００５】
上記問題を解決するための手段を以下に記す。
【０００６】
まず、ホストＰＣが印刷要求やステータス要求を送出後、印刷装置が応じない場合は、ホストＰＣは前記印刷装置の存在するネットワークにブロードキャストマジックパケットを送出する。前記印刷装置はこれを受け取り、起動する。ただし、通常の代理装置から送られる印刷装置固有のアドレスを用いたマジックパケットによる起動と異なり、前述のブロードキャストマジックパケットによる起動の場合は、代理装置を必要とする節電状態に移行しないようにすることで、同じ問題を繰り返さないようにできる。代理装置による印刷装置固有のアドレスを用いたマジックパケットによる節電状態からの起動の場合は定められた条件の元で再度、節電状態に移行し、代理装置による印刷要求応答の状態に戻るようにする。
【発明の効果】
【０００７】
以上詳述したように本発明によれば、印刷装置固有のアドレスを記憶した代理装置がダウンし、目的の印刷装置が特定の起動要求通知でしか復帰しないような状態からでも、ホストＰＣからそれらを意識することなく通常どおりの印刷が可能となる。
【発明を実施するための最良の形態】
【０００８】
以下、本発明の実施の形態を、図面を参照して説明する。
【０００９】
（第１の実施の形態）
図１は、第１の実施の形態におけるホストＰＣ、代理サーバ、プリンタの構成を示すブロック図である。
【００１０】
１０１はホストＰＣであり、１０４は代理サーバ、１０５、１０６，１０７はプリンタである。また、１０８はホストＰＣ１０１、代理サーバ、プリンタＡ、プリンタＢ、プリンタＣを有するネットワークである。図２は、第１の実施の形態におけるホストからの印刷／ステータス要求の処理を示したフローチャートである。また、図３は第１の実施の形態におけるホストから印刷／ステータス要求があった際のプリンタの処理を示したフローチャートである。
【００１１】
ホストＰＣ上のあるデータを節電中のプリンタＡに印刷させたい場合、ホストＰＣ１０１はネットワーク１０８上にプリンタ１０５宛の印刷要求パケットを送出する。しかしながら、プリンタ１０５はマジックパケットしか受け付けない節電状態に移行しているので概パケットは受け付けられない。この際、プリンタ１０５が上記節電状態に移行していることを認識している代理サーバ１０４はプリンタ１０５に代わり、前記パケットに応答し、同時にプリンタ１０５を前記節電状態から印刷可能状態に移行させるために、プリンタ１０５に向けてプリンタ１０５のＭＡＣアドレスによるマジックパケットを送信する。前記マジックパケットを受け取ったプリンタ１０５は印刷可能状態に移行し、前記ホストＰＣからの印刷データを受け取り印刷する。
【００１２】
しかしながら、前記代理サーバ１０４自体もしくは代理サーバ１０４とネットワーク１０８の間になんらかの障害が発生し、代理サーバ１０４へのアクセスが不可能となり、その際にプリンタ１０５が既に前記節電状態に移行済みであった場合は、前記プリンタ１０５を印刷可能な状態に移行させる者が居なくなってしまう。この状態で、プリンタ１０５への印刷要求をホスト１０１から送信する場合、図２のフローチャートに示すように、プリンタ１０５への印刷要求が発生。ホスト１０５はプリンタ１０５（代理サーバ）からの応答を一定時間待った後、応答がない場合は、プリンタ１０５の存在するネットワーク１０８にブロードキャストマジックパケットを送出する。このブロードキャストマジックパケットによって前記節電状態から印刷可能状態に移行したプリンタ１０５はその後に再送されてくるホスト１０１からの印刷要求パケットを受け取り、印刷処理を行う。ブロードキャストマジックパケットによって起動したプリンタ１０５は代理サーバへのアクセスができなくなったと判断し、前記印刷処理終了後も前記マジックパケットによる起動しか受け付けない節電状態には移行しないことで前述のような状態に戻ることを防止できる。
【図面の簡単な説明】
【００１３】
【図１】第１の実施の形態における代理サーバへのアクセスが正常時のホストＰＣからの印刷／ステータス要求処理を示す構成図である。
【図２】第１の実施の形態におけるホストＰＣの印刷要求処理を示すフローチャートである。
【図３】第１の実施の形態におけるプリンタの印刷要求処理を示すフローチャートである。
【符号の説明】
【００１４】
１０１  ホストＰＣ
１０４  代理サーバ
１０５  プリンタＡ
１０６  プリンタＢ
１０７  プリンタＣ
１０８  ネットワーク
【図１】
2006236230.tif 000003
【図２】
2006236230.tif 000004
【図３】
2006236230.tif 000005